(57)【要約】【課題】  例えば中古の輸送用コンテナを使用し、その特徴を充分に発揮するとともに設置効率とスペース効率の向上を図り、独自のショップ形態を創出する。【解決手段】  第１側面部を開口して出し入れ開口部５を形成しかつ他の側面部の内壁に沿って設置した商品陳列棚８に囲まれた収納空間部９を内部に構成した第１コンテナ体３に、出し入れ開口部５を介して収納空間部内９に出し入れ自在に第２コンテナ体４を組み合わせる。第１コンテナ体３に対して第２コンテナ体４を、閉店時には収納空間部９内に収納して第１コンテナ体３の設置スペースに縮小し、開店時には引き出して拡張したショップスペースを構成する。【選択図】  図６
2009024343.tif 000002
【特許請求の範囲】
【請求項１】
少なくとも第１側面部が開口されて第２コンテナ体出し入れ開口部とされるとともに残された各側面部の内壁に沿って所定幅の商品陳列棚を設置することにより、上記各商品陳列棚に囲まれた内部空間部が開店時には第１ショップスペースを構成するとともに閉店時には上記第２コンテナ体出し入れ開口部に連続する第２コンテナ体収納空間部として構成される第１コンテナ体と、
上記第１コンテナ体の上記第２コンテナ体収納空間部に収納される大きさとされ、少なくとも上記第１コンテナ体の上記第１側面部と対向する第１側面部を開口して連絡開口部が設けられるとともに残された他の少なくとも１つの側面部に出入り口が設けられかつ内部にサービスカウンタ部を設けて第２ショップスペースを構成し、底面部に走行・ガイド手段が設けられて上記第１コンテナ体の上記第２コンテナ体収納空間部に対して上記第２コンテナ体出し入れ開口部を介して出し入れされる第２コンテナ体とから構成され、
上記第１コンテナ体と上記第２コンテナ体が、閉店時には上記第２コンテナ体を上記第２コンテナ体収納空間部内に収納して上記第１コンテナ体の設置スペースに縮小するとともに、開店時には上記第２コンテナ体を上記第２コンテナ体出し入れ開口部を介して上記第２コンテナ体収納空間部から組み合わせ状態を保持した位置まで引き出すことにより上記第１ショップスペースと上記第２ショップスペースとからなる拡張したショップスペースを構成することを特徴とするコンテナショップ。
【請求項２】
少なくとも第１側面部が開口されて第２コンテナ体出し入れ開口部とされるとともに残された各側面部の内壁に沿って所定幅を有する第１サービス提供部が設けられ、これら第１サービス提供部に囲まれた内部空間部が上記第２コンテナ体出し入れ開口部に連続する第２コンテナ体収納空間部として構成された第１コンテナ体と、
上記第１コンテナ体の上記第２コンテナ体収納空間部に収納される大きさとされ、少なくとも１つの側面部に出入り口が設けられるとともに内部に第２サービス提供部が設けられ、底面部に設けた走行手段が設けられて上記第１コンテナ体の上記第２コンテナ体収納空間部に対して上記第２コンテナ体出し入れ開口部を介して出し入れされる第２コンテナ体とから構成され、
上記第１コンテナ体と上記第２コンテナ体が、閉店時には上記第２コンテナ体を上記第２コンテナ体収納空間部内に収納して上記第１コンテナ体の設置スペースに縮小するとともに、開店時には上記第２コンテナ体を上記第２コンテナ体出し入れ開口部を介して上記第２コンテナ体収納空間部から引き出すことによりそれぞれの上記第１サービス提供部と上記第２サービス提供部がショップスペースを構成することを特徴とするコンテナショップ。
【発明の詳細な説明】
【技術分野】
【０００１】
本発明は、例えば中古輸送用コンテナを利用して独自のショップ形態が低コストかつ短期間で創出するコンテナショップに関する。
【背景技術】
【０００２】
輸送用コンテナは、様々な物品を積載して荷役の簡易化を図ってトラックや鉄道による陸上輸送用或いは飛行機による空路輸送用やコンテナ船による海上輸送用の収納体として内部に様々な物品を積載して輸送が行われるようにする。輸送用コンテナは、例えば鉄道用のいわゆるジェイアール（ＪＲ）コンテナの場合に、もっぱら国内専用であり扱い量も比較的少ないことから、規格化も図られてはいるが様々な仕様のコンテナが提供されている。一方、輸送用コンテナは、大量輸送が行われる海上輸送用のいわゆる海上コンテナの場合に、国際標準規格（ISO:International Organization for Standerd）により仕様条件等が基準化され、世界各国での荷役・流通の共通化が確保されている。
【０００３】
輸送用コンテナは、例えば海上コンテナとして、一般用途のドライコンテナ、天井部が取り外し可能なオープントップコンテナ或いは冷凍貨物等の搬送用の冷凍コンテナ等が提供されており、またサイズ仕様として例えば２０フィート型、４０フィート型或いは４５フィート型等が規定されている。輸送用コンテナは、一般的な形態として、鋼材を組み合わせた枠組みに対して外周壁部や天井部に波形鋼板を固定しかつ底板を固定するとともに外周壁部にドアを設けた箱体として構成される。
【０００４】
ところで、輸送用コンテナは、耐久性、耐水性、耐火性或いは防錆性や気密性に優れるとともに、出入り口や窓等を比較的容易に付設する改変加工性にも優れ、さらに分解せずに設置或いは移動が可能であるとともに積み重ね使用も自由である等の特性を有することから、様々な分野で廉価な中古コンテナ体の再利用が図られている。中古コンテナ体は、本来の収納機能を生かして、例えば各種資材等の倉庫、防災用具等の収納庫或いはレンタル倉庫等の収納構造物として使用される（例えば、特許文献１を参照。）。また、中古コンテナ体は、海の家やイベント会場での更衣室やシャワールーム等の仮設施設、カラオケルームやカフェテラス或いは勉強部屋等のように極めて広範囲な分野で使用されている。
【０００５】
なお、特許文献２には、接続ユニットにより２以上のコンテナ体を組み合わせて大型構造物を構築する利用例が開示されている。
【０００６】
【特許文献１】実用新案登録第３０６４９６９号公報
【特許文献２】特表２０００−５１５９３９号公報
【発明の開示】
【発明が解決しようとする課題】
【０００７】
中古コンテナ体は、上述したように構造物として優れた特性を有するとともに確立された流通システムの利用により移動設置が容易であることから、様々な分野で再使用が図られている。中古コンテナ体は、上述した特許文献２に開示されるような組み合わせの使用形態も有るが、基本的には上下或いは左右に組み合わせて使用される場合であってもそれぞれが１基毎に独立しての使用態様であった。
【０００８】
例えば、各種のイベントにおいては、にぎわいを高めるために会場内にスナックバーやグッズショップ等の臨時施設が設置され、従来かかる臨時施設を主として軽量であり増築も容易であるプレハブ建物で設置することが多い。しかしながら、プレハブ建物は、例えば町中の広場等のように誰もが立ち入り自由な場所では夜間時等における防犯上の対応が困難であり、また基礎に対して強固に設置して強風対策を図る等も必要である。
【０００９】
これに対して、中古コンテナ体は、頑強であることから防犯上も有効であり、気密性にも優れるとともに換気扇やクーラ等の設置も容易であることから様々な用途に用いることが可能である。しかしながら、中古コンテナ体は、画一的な大きさや外観からの「ごっつい」箱体のイメージが先行して個性的な外観等にこだわるイベント会場や町中での設置にまでの普及が図られていない。
【００１０】
ところで、各種の臨時的施設においては、開店時等の使用状態では大きな使用スペースが確保されるとともに、閉店時等の不使用状態では小さな設置スペースに収まることが好ましい。従来の臨時的施設においては、上述したプレハブ建物であっても中古コンテナ体を利用した施設と同様に、使用スペースと設置スペースがほぼ同一であり上述した要求に対応できるものでは無かった。各種の臨時的施設においては、例えばカウンターや商品棚等を引き出すことによりスペースを拡張することも行われているが、かかる対応では充分なスペースを確保することは困難であるとともに、拡張されたわずかなスペースも本体部分の関連部位としての利用に過ぎなかった。また、従来施設においては、開店や閉店に際してカウンターや商品棚の設置や収納とともに商品の取り扱いも行うことから、その手間が面倒であった。
【００１１】
したがって、本発明は、例えば中古の輸送用コンテナを使用し、その特徴を充分に発揮するとともに設置効率とスペース効率の向上を図り、独自のショップ形態を創出することも可能なコンテナショップを提供することを目的とする。
【課題を解決するための手段】
【００１２】
上述した目的を達成する本発明にかかるコンテナショップは、例えば海上コンテナやＪＲコンテナ等の中古輸送用コンテナ等を利用した第１コンテナ体及びこの第１コンテナ体に出し入れ自在に組み合わせた第２コンテナ体とから構成される。コンテナショップは、第１コンテナ体が、少なくとも第１側面部を開口して第２コンテナ体出し入れ開口部とするとともに残された各側面部の内壁に沿って所定幅の商品陳列棚を設置することにより、各商品陳列棚に囲まれた内部空間部が開店時には第１ショップスペースを構成するとともに閉店時には第２コンテナ体出し入れ開口部に連続する第２コンテナ体収納空間部として構成される。コンテナショップは、第２コンテナ体が、第１コンテナ体の第２コンテナ体収納空間部に収納される大きさとされ、少なくとも第１コンテナ体の第１側面部と対向する第１側面部を開口して連絡開口部を設けるとともに残された他の少なくとも１つの側面部に出入り口が設けられかつ内部にサービスカウンタ部を設けて第２ショップスペースを構成し、底面部に走行・ガイド手段が設けられて第１コンテナ体の第２コンテナ体収納空間部に対して第２コンテナ体出し入れ開口部を介して出し入れされる。
【００１３】
コンテナショップにおいては、閉店時には第２コンテナ体を第２コンテナ体収納空間部内に収納することにより第１コンテナ体の設置スペースに縮小した状態となる。コンテナショップにおいては、開店時には第２コンテナ体を第２コンテナ体出し入れ開口部を介して第２コンテナ体収納空間部から組み合わせ状態を保持した位置まで引き出されることにより、第１コンテナ体の第１ショップスペースと第２コンテナ体の第２ショップスペースとからなる拡張したショップスペースを構成する。
【００１４】
また、上述した目的を達成する本発明にかかるコンテナショップは、例えば海上コンテナやＪＲコンテナ等の中古輸送用コンテナ等を利用した第１コンテナ体及びこの第１コンテナ体に出し入れ自在に組み合わされた第２コンテナ体とから構成される。コンテナショップは、第１コンテナ体が、少なくとも第１側面部が開口が開口されて第２コンテナ体出し入れ開口部とされるとともに残された各側面部の内壁に沿って所定幅を有する第１サービス提供部が設けられ、これら第１サービス提供部に囲まれた内部空間部が第２コンテナ体出し入れ開口部に連続して第２コンテナ体を収納する第２コンテナ体収納空間部を構成する。コンテナショップは、第２コンテナ体が、第１コンテナ体の第２コンテナ体収納空間部に収納される大きさとされ、少なくとも１つの側面部に出入り口が設けられるとともに内部に第２サービス提供部が設けられ、底面部に走行手段が設けられて第１コンテナ体の第２コンテナ体収納空間部に対して第２コンテナ体出し入れ開口部を介して出し入れされる。
【００１５】
コンテナショップにおいては、閉店時には第１コンテナ体に対して第２コンテナ体が、第２コンテナ体収納空間部内に収納されることにより第１コンテナ体の設置スペースに縮小した状態となる。コンテナショップにおいては、開店時には第１コンテナ体に対して第２コンテナ体を第２コンテナ体出し入れ開口部を介して第２コンテナ体収納空間部から引き出すことにより、第１コンテナ体の第１サービス提供部と第２コンテナ体の第２サービス提供部がそれぞれショップスペースを構成する。
【００１６】
コンテナショップにおいては、堅牢で防錆性や気密性に優れるとともに、出入り口や窓等を比較的容易に付設する改変加工性にも優れ、分解せずに設置或いは移動が可能である比較的廉価な中古コンテナ体が用いられる。コンテナショップにおいては、屋内や屋外のいずれにも設置することが可能であり、恒久的なショップとともにイベント会場等において一時的なショップを低コストかつ短期間で開設することが可能である。コンテナショップにおいては、第１コンテナ体と第２コンテナ体を組み合わせた充分なスペースを有するショップばかりでなく、例えば第１コンテナ体と第２コンテナ体とが切り離されて互いに独立のショップを構成することも可能である。コンテナショップにおいては、第１コンテナ体と第２コンテナ体との組み合わせ形態により、独自のショップ形態を創出する新規なコンテナショップを構成する。
【発明の効果】
【００１７】
本発明にかかるコンテナショップによれば、堅牢で防錆性や気密性に優れるとともに、出入り口や窓等を比較的容易に付設する改変加工性にも優れ、分解せずに設置或いは移動が可能なコンテナ体により大型の第１コンテナ体と、この第１コンテナ体に出し入りされるやや小型の第２コンテナ体とから構成される。コンテナショップによれば、閉店時には第１コンテナ体に対して第２コンテナ体が第２コンテナ体収納空間部内に収納されることにより第１コンテナ体の設置スペースに縮小した状態となり、開店時には第１コンテナ体に対して第２コンテナ体が第２コンテナ体収納空間部から引き出されて拡張されたショップスペースを構成してスペース効率が図られる。コンテナショップによれば、低コストかつ短期間で第１コンテナ体と第２コンテナ体との組み合わせ形態による独自のショップ形態を創出する新規なコンテナショップを構成することが可能である。
【発明を実施するための最良の形態】
【００１８】
以下、本発明の実施の形態について図面を参照して詳細に説明する。第１の実施の形態として図１乃至図６に示したコンテナショップ１は、例えば図２に示すように駅のホーム２に設置する売店への適用例であり、第１コンテナ体３と、この第１コンテナ体３に出し入れ自在に組み合わされる第２コンテナ体４とにより構成する。コンテナショップ１は、図２に示すようにホーム２の長さ方向と平行な向きで中央位置に設置され、図１及び図２に示すように開店時には第１コンテナ体３から第２コンテナ体４を引き出した形態で使用され、図３に示すように閉店時には第１コンテナ体３に第２コンテナ体４を収納した形態とする。
【００１９】
コンテナショップ１は、詳細を後述するように第１コンテナ体３が商品を陳列して開店時において顧客による選択が行われる第１ショップスペースを構成するとともに、第１コンテナ体３から引き出された第２コンテナ体４が高額商品を陳列したり選択した商品の対価支払いを受けるサービスカウンタの機能を奏する第２ショップスペースを構成する。コンテナショップ１は、第１コンテナ体３に対して第２コンテナ体４が組み合わせ状態を保持して引き出され、顧客が第２コンテナ体４の両側から出入りすることが可能である。
【００２０】
コンテナショップ１は、第１コンテナ体３として例えば１２フィート規格の中古ドライスチールタイプの海上コンテナが用いられるとともに、第２コンテナ体４として例えば所定サイズの中古ＪＲコンテナが用いられる。なお、コンテナショップ１は、詳細を後述するように閉店時に第２コンテナ体４を第１コンテナ体３内に収納することから、盗難やいたずら対策等のための堅牢さをさほど要しない。したがって、コンテナショップ１は、所定サイズの中古ＪＲコンテナの入手が困難であったり任意の仕様とする場合等において、特に第２コンテナ体４として新規に製作したものを用いるようにしてもよいことは勿論である。
【００２１】
第１コンテナ体３は、上述したように鋼材を枠状に組み合わせて枠芯材を構成し、この枠芯材に波形鋼板を固定して第１外周壁部（第１側面部）３Ａ〜第４外周壁部（第４側面部）３Ｄや天井部３Ｅ及び底面部３Ｆを構成した１２フィート規格のドライスチールタイプの中古海上コンテナが用いられる。第１コンテナ体３は、長さが１２フィート（３６５８ｍｍ）、幅が８フィート（２４３８ｍｍ）、高さが８．０６フィート（２５９１ｍｍ）の規格で製造されている。第１コンテナ体３は、詳細を省略するが枠芯材の底枠材及び天井枠材にそれぞれ一体化された荷扱い用及び段積み用のブラケット材が設けられており、例えばコンテナ貨車に搭載して設置駅までの輸送が可能であるとともに、フォークリフト等によりホーム２上に降ろし、強固で平坦なホーム２の所定位置に安定した状態で設置することが可能である。
【００２２】
第１コンテナ体３は、この１２フィート規格の中古海上コンテナにリフォーム加工を施して製作される。第１コンテナ体３には、長手方向の一方側の第１側面部３Ａに固定した波形鋼板を取り外してほぼ全面を開口することにより、図４に示すように第２コンテナ体４を出し入れさせる第２コンテナ体出し入れ開口部５が形成される。なお、第１コンテナ体３には、各側面部３Ａ〜３Ｄや天井部３Ｅに適宜の色彩で塗装が施されるとともに、店名等の表示が設けられる。
【００２３】
第１コンテナ体３には、図３及び図５に示すように第１側面部３Ａと相対する長手方向の第２側面部３Ｂの外側面に例えば広告用薄型ディスプレー６や図示しないスピーカが取り付けられ、商品広告やタウン情報或いは旅行ガイド等の適宜の番組が画像と音楽や音声等によりガイドする。なお、第１コンテナ体３は、この広告用薄型ディスプレー６に代えて或いは加えて例えば広告パネルを第２側面部３Ｂに設けるようにしてもよい。第１コンテナ体３には、幅方向の第３側面部３Ｃ、第４側面部３Ｄにそれぞれ複数の窓７が設けられる。勿論、第１コンテナ体３は、各窓７に透明若しくはスモークのガラスやプラスチック板をはめ込むことにより、内部の様子を見ることが可能とされる。
【００２４】
第１コンテナ体３には、図３乃至図６に示すように第１側面部３Ａを除く他の側面部３Ｂ〜３Ｄの内壁に沿って、多段の商品陳列棚８Ａ〜８Ｃ（以下、個別に説明する場合を除いて商品陳列棚８と総称する。）がコ字状に配列されて設置される。各商品陳列棚８は、全て同幅の３００ｍｍとされ、立ったままの状態で顧客が手を伸ばしかつやや腰を曲げて陳列された商品を取ることが可能な高さ範囲を商品陳列スペースとし、上段部や下段部が例えばストックスペースとして利用される。なお、商品陳列棚８については、例えば飲み物や弁当等の生物用として冷房機付き商品陳列棚が用いられ、後述する閉店時においても冷房機への電源供給が継続されるようにする。
【００２５】
第１コンテナ体３は、上述したように第２側面部３Ｂ〜第４側面部３Ｄの内壁に沿ってそれぞれ商品陳列棚８を設置することにより、閉店時には各商品陳列棚８に囲まれた所定の大きさの内部空間部を第２コンテナ体出し入れ開口部５に連続する第２コンテナ体収納空間部９として構成する。第２コンテナ体収納空間部９は、第１コンテナ体３の上述した寸法仕様により、幅Ｗ１が約１７００ｍｍ、奥行きＬｌが約３３００ｍｍ、高さＨ１が約２１００ｍｍとされた空間部であり、後述するように閉店時には第２コンテナ体４を収納するとともに開店時には第１ショップスペースを構成する。
【００２６】
第１コンテナ体３には、天井部３Ｅの上面に電源ユニット１０や空調機１１が設置されるとともに、内面に照明器具１２が設けられる。第１コンテナ体３は、中古海上コンテナを用いることにより天井部３Ｅに重量のある電源ユニット１０や空調機１１を設置することが可能であり、スペースの効率化を図ることが可能である。第１コンテナ体３は、設置状態において電源ユニット１０がホーム側の図示しない電源供給部と接続されて電源の供給を受け、この電源ユニット１０から上述したディスプレー６や空調機１１或いは照明器具１２に電源を供給する。
【００２７】
第１コンテナ体３には、詳細を省略するが電源ユニット１０から側面部に沿って底面部３Ｆの下面に導かれる配線ダクトが設けられ、この配線ダクトに挿通した電気配線により電源ユニット１０からディスプレー６や照明器具１２に電源供給を行うとともに、第２コンテナ体４に対して電源を供給する。第１コンテナ体３には、底面部３Ｆの下面に詳細を省略する電源コードの巻き取り機能を有するコード巻き取り器を設け、このコード巻き取り器に配線ダクトから引き出した電源コードを接続する。第１コンテナ体３は、コード巻き取り器から引き出した電源コードにより第２コンテナ体４との配線が行われるようにする。第１コンテナ体３は、第２コンテナ体４が第２コンテナ体収納空間部９内に収納された状態ではコード巻き取り器により電源コードの巻き取りが行われるとともに、第２コンテナ体４を引き出し操作すると電源コードもコード巻き取り器から引き出されるようにする。
【００２８】
第１コンテナ体３には、第２コンテナ体４が第２コンテナ体出し入れ開口部５を介して第２コンテナ体収納空間部９に対してスムーズに出し入れするために、適宜の走行ガイド構造１３が設けられる。走行ガイド構造１３は、例えば天井部３Ｅと底面部３Ｆに相対して設けられ、第２コンテナ体４が位置ズレを生じることなく出し入れ操作されるようにする。走行ガイド構造１３は、例えば底面部３Ｆに幅方向に離間して一端側を第２コンテナ体出し入れ開口部５に開放されたガイド溝を形成し、この第２コンテナ体４の底面部４Ｆに設けたガイドコロが転動するような構造であってもよい。走行ガイド構造１３は、開店時には顧客が躓かないようにするために、ガイド溝にカバーが被せられる。
【００２９】
なお、第１コンテナ体３は、上述した構造を基本形態としてショップ形態に応じて様々にアレンジすることが可能である。第１コンテナ体３は、側面部３Ｂ〜３Ｄに沿って多段の商品陳列棚８を固定設置するようにしたが、閉店時において内部に第２コンテナ体４を収納する上述した第２コンテナ体収納空間部９を構成することを条件として可動型の商品陳列棚を設けるようにしてもよい。また、第１コンテナ体３は、コンテナショップ１がもっぱら屋根のあるホーム２に設置して用いる仕様であることから、第２コンテナ体４を出し入れする第２コンテナ体出し入れ開口部５にシールド構造を設けていない。第１コンテナ体３は、コンテナショップ１が屋外用で用いる仕様の場合に、第２コンテナ体出し入れ開口部５の開口縁に沿って雨水等の浸入を防止する適宜のシールド構造が設けられる。
【００３０】
第２コンテナ体４も、鋼材を枠状に組み合わせて枠芯材を構成し、この枠芯材に波形鋼板を固定して第１外周壁部（第１側面部）４Ａ〜第４外周壁部（第４側面部）４Ｄや天井部４Ｅ及び底面部４Ｆを構成した第１コンテナ体３よりも小ぶりな中古コンテナ体が用いられる。第２コンテナ体４は、上述した第１コンテナ体３の第２コンテナ体収納空間部９に対して、第２コンテナ体出し入れ開口部５を介して出し入れされる大きさ仕様を以って製造される。第２コンテナ体４は、第２コンテナ体収納空間部９よりも小さな例えば幅Ｗ２が約１６００ｍｍ、奥行きＬ２が約３０００ｍｍとし、高さＨ２が照明器具１２の高さを考慮しかつ標準的な大人が頭をぶつけることなく通行が可能な約２０００ｍｍ程度とした大きさとされる。
【００３１】
第２コンテナ体４は、リフォーム加工を施す際に、枠芯材の底枠材に設けた荷扱い用及び段積み用のブラケット材を取り外すことにより全体がほぼ平坦な底面として構成し、後述するように第２コンテナ体３との組み合わせが行われるようにする。勿論、第２コンテナ体４は、これらブラケット材を残すことにより第１コンテナ体３と同様に例えばコンテナ貨車に搭載して設置駅まで輸送し、フォークリフト等を用いてホーム２に降ろすとともに第１コンテナ体３と組み合わせるようにしてもよい。
【００３２】
第２コンテナ体４は、中古ＪＲコンテナにリフォーム加工を施して製作される。第２コンテナ体４には、第１コンテナ体３の第１側面部３Ａと対向する長手方向の一方側の第１側面部４Ａに固定した波形鋼板を取り外してほぼ全面を開口することにより連絡開口部１４が設けられる。第２コンテナ体４は、後述するように第１側面部４Ａ側から第１コンテナ体３に組み合わされることにより、この連絡開口部１４を介して内部空間部１５が第２コンテナ体収納空間部９と連通する。
【００３３】
第２コンテナ体４には、詳細を後述するように出入り口１６とともに内部空間部１５にサービスカウンタ部１７や商品棚１８が設置されて第２ショップスペースを構成する。第２コンテナ体４にも、各側面部４Ａ〜４Ｄや天井部４Ｅに適宜の色彩で塗装が施されるとともに、店名等の表示が設けられる。
【００３４】
第２コンテナ体４にも、図１及び図２に示すように第１側面部４Ａと相対する長手方向の第２側面部４Ｂの外側面に、上述した第１コンテナ体３側の広告用薄型ディスプレー６と同様の広告用薄型ディスプレー１９や図示しないスピーカが取り付けられる。なお、第２コンテナ体４も、この広告用薄型ディスプレー１９に代えて或いは加えて例えば広告パネルを第２側面部４Ｂに設けるようにしてもよい。第２コンテナ体４にも、幅方向の第３側面部４Ｃ、第４側面部４Ｄにそれぞれ透明若しくはスモークのガラスやプラスチック板がはめ込まれて内部の様子を確認可能とする窓２０が設けられる。
【００３５】
第２コンテナ体４には、図１及び図６に示すように第３側面部４Ｃ、第４側面部４Ｄにそれぞれ出入り口１６Ｃ、１６Ｄ（以下、個別に説明する場合を除いて出入り口１６と総称する。）が設けられている。各出入り口１６は、第１側面部４Ａ側の第３側面部４Ｃと第４側面部４Ｄを構成する波形鋼板の一部を高さ方向の全域に亘って所定幅で切り取ることにより形成した開口部からなる。各出入り口１６は、標準的な大人が違和感を持たずに出入りすることが可能な開口幅、例えば約１０００ｍｍ程度で形成される。第２コンテナ体４は、各出入り口１６により両側から内部空間部１５に出入りすることが可能である。
【００３６】
なお、コンテナショップ１は、例えば壁面等に沿って設置する仕様である場合に、第２コンテナ体４の第３側面部４Ｃ或いは第４側面部４Ｄのいずれか一方側に出入り口１６が設けられる。また、コンテナショップ１は、第２コンテナ体４側に出入り口１６を設けることを基本形態として、ショップ形態に応じて適宜の位置に出入り口１６を設けることも可能である。
【００３７】
第２コンテナ体４は、連絡開口部１４と対向する第２側面部４Ｂ側の内部空間部１５にサービスカウンタ部１７が設置される。サービスカウンタ部１７は、図５及び図６に示すように第２ショップスペースと店員スペースを商品の受け渡しを行うカウンター２１により区分する。サービスカウンタ部１７には、カウンター２１上にレジスタ２２が設置されるとともに、第２側面部４Ｂの内面に沿って商品棚１８を設置して例えば高額商品を陳列したり商品をストックする。サービスカウンタ部１７には、図６に示すように第４側面部４Ｄに店員スペースに出入りするためのドア２４が設けられる。
【００３８】
第２コンテナ体４には、第２側面部４Ｂに設置したディスプレー１９或いはサービスカウンタ部１７の天井部４Ｅに設けた照明器具２５やカウンター２１上に設置したレジスタ２２に対して、第１コンテナ体３側の電源ユニット１０から電源が供給される。第２コンテナ体４には、図示を省略するが底面部４Ｆの下面に配線ダクトが設けられ、この配線ダクト内に第１コンテナ体３側の上述したコード巻き取り器から引き出された電源コードを導通してサービスカウンタ部１７内へと配線する。第２コンテナ体４は、例えば側面部の内面に沿って配線を行って各器具に対して電源を供給する。なお、第２コンテナ体４には、必要に応じて天井部４Ｅの上面に空調機が設置される。
【００３９】
コンテナショップ１は、上述したように第１コンテナ体３と第２コンテナ体４の底面部３Ｆ、４Ｆに配線ダクトを設けて電気配線を行うようにしたが、かかる配線構造に限定されないことは勿論である。コンテナショップ１は、第１コンテナ体３と第２コンテナ体４の天井部に配線構造を設けるようにしてもよく、この場合でも電源コードの垂れ下がりが発生しないように適宜のコード巻き取り器を設けることが好ましい。
【００４０】
第２コンテナ体４には、底面部４Ｆに第１コンテナ体３から円滑に出し入れするために走行・ガイド手段が設けられている。走行・ガイド手段は、詳細を省略するが底面部４Ｆの下面に設けられて上述した第１コンテナ体３の走行ガイド構造１３のガイド溝に係合してこのガイド溝内を転動するガイドコロと、第２側面部４Ｂ側の中央部に位置して設けられたキャスタ２６等により構成する。第２コンテナ体４は、キャスタ２６が、底面部４Ｆを第１コンテナ体３の底面部３Ｆと略同一面を構成する高さ位置とする大きさを有している。なお、第２コンテナ体４は、長さ方向に並んで複数個のガイドコロを設けて、より円滑に移動動作が行われるようにしてもよい。また、第２コンテナ体４は、幅方向に離間して一対のキャスタ２６を設けるようにしてもよい。
【００４１】
第２コンテナ体４は、第１側面部４Ａ側を第１コンテナ体３の走行ガイド構造１３に支えられるとともに、第２側面部４Ｂ側をキャスタ２６に支えられて第１コンテナ体３の第２コンテナ体出し入れ開口部５を介して第２コンテナ体収納空間部９に対して出し入れされる。第２コンテナ体４は、例えば第１コンテナ体３の走行ガイド構造１３に設けた適宜のストッパ機構により第２コンテナ体収納空間部９から所定位置まで引き出した状態で停止される。第２コンテナ体４は、この最大引き出し位置において第１コンテナ体３との組み合わせ状態が保持されるとともに、図示しないロック機構によりロックされる。
【００４２】
第２コンテナ体４は、上述したように第１コンテナ体３とともに堅固な中古コンテナ体が用いられることにより歪みがほとんど無いことから走行ガイド構造１３のガイド溝にガイドコロが精度よく係合して円滑に転動することが可能である。また、第２コンテナ体４は、小型で内部空間部１５に設置する備品や陳列する商品数も少ないことから重量も抑えられ、大型のキャスタ２６を設けることにより第１コンテナ体３に対して手動でも出し入れすることが可能である。
【００４３】
以上のように構成された第２コンテナ体４は、連絡開口部１４側から第２コンテナ体出し入れ開口部５を介して第２コンテナ体収納空間部９内に収納して第１コンテナ体３に組み合わすことにより、コンテナショップ１を構成する。コンテナショップ１においては、第１コンテナ体３がホーム２の所定位置に設置され、必要に応じて底面部３Ｆに一体化した各ブラケット材にそれぞれ通したアンカーボルトをホーム２に打ち込むことによりしっかりと固定する。コンテナショップ１においては、第１コンテナ体３に対して第２コンテナ体４が、第２コンテナ体出し入れ開口部５側の底面部３Ｆ上に連絡開口部１４側の底面部４Ｆを載せ、走行ガイド構造１３のガイド溝にガイドコロを係合させる。コンテナショップ１においては、第１コンテナ体３に対して第２コンテナ体４が、この状態から第２コンテナ体収納空間部９内へと押し込まれることにより一体的に組み合わされる。
【００４４】
コンテナショップ１においては、第１コンテナ体３に対して第２コンテナ体４が、走行ガイド構造１３のガイド溝の先端にガイドコロが当たって停止されるまで押し込むことにより、図３に示すように第１コンテナ体３側の第２コンテナ体出し入れ開口部５に第２コンテナ体４側の第２側面部４Ｂが略同一面を構成して第２コンテナ体収納空間部９内に収納される。したがって、コンテナショップ１においては、ホーム２の占有面積が第１コンテナ体３の設置スペースと同等となる。
【００４５】
コンテナショップ１においては、予めリサイクル加工を施した第１コンテナ体３や第２コンテナ体４をそのままの状態でホーム２に搬入して上述した簡易な作業による組立を行うことから、例えば終電時間から始発時間までの時間帯で設置することが可能である。コンテナショップ１においては、基礎の設置、上物の組立等を経ることにより長期間に亘り混雑するホーム２を広い領域で占有する従来工法と比較して、低コストかつ短期間で堅牢なショップを設置することが可能である。
【００４６】
コンテナショップ１においては、閉店時には上述した第１コンテナ体３に対して第２コンテナ体４を収納した状態とし、第１コンテナ体３に対して第２コンテナ体４を施錠することにより内部のショップスペースを閉塞する。コンテナショップ１においては、第１コンテナ体３の開口された第２コンテナ体出し入れ開口部５を第２コンテナ体４が閉塞することにより堅牢な外周壁が構成され、防犯性が極めて高い。
【００４７】
コンテナショップ１においては、開店時に第１コンテナ体３から第２コンテナ体４を引き出して、第１コンテナ体３内の第１ショップスペースと第２コンテナ体４内の第２ショップスペースとからなる拡張されたショップスペースを構成する。コンテナショップ１においては、第１コンテナ体３に対して第２コンテナ体４が、走行ガイド構造１３のガイド溝内をガイドコロが転動するとともにキャスタ２６に支えられて第２コンテナ体出し入れ開口部５から引き出される。コンテナショップ１においては、第１コンテナ体３に対して第２コンテナ体４が、所定位置まで引き出されるとストッパ機構により引き出し動作が停止されるとともにロック機構により保持される。なお、コンテナショップ１においては、第２コンテナ体４の引き出し操作により、コード巻き取り器から電源コードの繰り出しも行われる。
【００４８】
コンテナショップ１においては、図５及び図６に示すように第１コンテナ体３に対して第２コンテナ体４が、第１側面部４Ａ側を走行ガイド構造１３に支えられて組み合わせ状態を保持されるとともに第２側面部４Ｂ側をキャスタ２６に支えられることにより、連絡開口部１４を介して第１コンテナ体３の第１ショップスペースと第２コンテナ体４の第２がショップスペースに拡張されたショップ形態を構成する。コンテナショップ１においては、第１コンテナ体３の第２コンテナ体出し入れ開口部５に隣り合う両側面に位置して第２コンテナ体４側に設けた出入り口１６が開口される。コンテナショップ１においては、店員が電源スイッチのオン操作を行うことにより各照明器具１２、２５が点灯するとともに、ディスプレー６、１９において所定の表示が行われ、レジスタ２２への電源供給も行われる。なお、コンテナショップ１においては、出入り口１６にホーム２との間でキャスタ２６の高さ分の段差が生じることから例えばスロープ板等を設置することが好ましい。
【００４９】
コンテナショップ１においては、上述した開店状態において、図５及び図６に示すように左右いずれか一方の出入り口１６を利用して顧客が第２コンテナ体４の内部空間部１５に出入りする。コンテナショップ１においては、内部空間部１５に入った顧客が、連絡開口部１４を介して第１コンテナ体３内へと移動して商品陳列棚８に陳列した商品の選択を行う。コンテナショップ１においては、商品を選択した顧客が、第１コンテナ体３内から連絡開口部１４を介して第２コンテナ体４内へと移動してサービスカウンタ部１７で料金の支払いを行う。
【００５０】
コンテナショップ１においては、上述した仕様の第１コンテナ体３内に多数個の商品陳列棚８を設置するとともに、第２コンテナ体４にも商品棚１８を設置することにより多種多様の商品の品揃えを可能とする。コンテナショップ１においては、開店時や閉店時に際してのカウンターや商品棚からの商品の取り出しやショップ内への移動等取り扱いも不要であり、店員の負担を大幅に低減する。コンテナショップ１においては、中央部位に出入り口１６を設けた構造であることから、第２コンテナ体４のサービスカウンタ部１７に待機する店員からも出入りする顧客の様子を充分に確認することが可能である。コンテナショップ１においては、出入り口１６のスペースが存在することにより店員の精神的な負担も軽減する。
【００５１】
コンテナショップ１においては、第１コンテナ体３に対する第２コンテナ体４の出し入れ操作が店員による手動操作で行うようにしたが、適宜の動力駆動手段により第２コンテナ体４の出し入れ操作を行うことが可能である。コンテナショップ１においては、第１コンテナ体３や第２コンテナ体４が堅牢に形成されていることから、補強構造を設けることなく動力駆動手段を設置することが可能である。コンテナショップ１においては、例えば第１コンテナ体３の天井部３Ｅの上面に電動或いは油圧シリンダ等の駆動部を設置し、この駆動部により往復動作される駆動ロッドを第２コンテナ体４側の天井部４Ｅの上面に設置した連結部に連結する。コンテナショップ１は、駆動部を駆動することにより駆動ロッドが所定範囲で往復移動することにより、第２コンテナ体４が第１コンテナ体３に対して出し入れされる。
【００５２】
なお、コンテナショップ１は、上述した売店に限定されず、同様にしてホーム２に設置される立ち食いそば店やコーヒ或いはジュースや軽食等を提供するカフェとして適用するようにしてもよい。コンテナショップ１においては、この場合に第１コンテナ体３が各側面部３Ｂ〜３Ｄの内壁に沿って設置した所定幅の商品陳列棚８に代えて所定幅かつ所定高さのカウンターを設置して、上述した第１ショップスペースを飲食スペースとして構成する。コンテナショップ１においては、第２コンテナ体４側のサービスカウンタ部１７を出入り口１６まで拡げて調理機器を設置し、商品の提供や料金の授受を行うようにする。
【００５３】
上述したコンテナショップ１においては、多数個の商品陳列棚８を設置して第１ショップスペースを構成した第１コンテナ体３とサービスカウンタ部１７を設けて第２ショップスペースを構成した第２コンテナ体４を組み合わせ状態が保持される範囲で出し入れ自在に組み合わせて、対面販売型のショップ形態を構成する。本発明は、かかるショップ形態に限定されず、様々なショップ形態を創成することが可能である。図７に第２の実施の形態として示したコンテナショップ３０は、例えばアパレルショップにおいて特定ブランド商品の特別キャンペーン等を実施する際に好適に使用され、既設ショップ内において専用のショップを構成する。なお、コンテナショップ３０は、かかる適用例に限定されず、例えば屋外等において臨時アパレルショップを設置する等に際しても好適に適用される。
【００５４】
コンテナショップ３０は、基本的な構成を上述したコンテナショップ１と同様とされ、中古コンテナ体にリフォーム加工を施した第１コンテナ体３１及びこの第１コンテナ体３１に出し入れ自在に組み合わされる第２コンテナ体３２とから構成される。コンテナショップ３０も、内部空間部を第２コンテナ体収納空間部３３として構成した第１コンテナ体３１にその長手方向の第１側面部を開口して第２コンテナ体出し入れ開口部３４を形成し、閉店時には図７（Ａ）に示すように第２コンテナ体出し入れ開口部３４を介して第２コンテナ体３２を第２コンテナ体収納空間部３３内に収納する。
【００５５】
コンテナショップ３０は、開店時には、第１コンテナ体３１に対して第２コンテナ体３２が図７（Ｂ）に示すように第２コンテナ体出し入れ開口部３４を介して第２コンテナ体収納空間部３３から引き出される。コンテナショップ３０は、同図（Ｂ）に示すように比較的重量のある第１コンテナ体３１が所定位置に固定されるが、比較的軽量であり後述する自走手段を設けた第２コンテナ体３２が適宜の位置へと移動して固定される。コンテナショップ３０は、第１コンテナ体３１がその内部空間部に商品陳列スペースを構成するとともに、第２コンテナ体３２がその内部空間部を例えば試着室スペースとする。換言すれば、コンテナショップ３０は、顧客に対して、第１コンテナ体３１が商品の陳列機能を有する第１サービス提供部を構成するとともに第２コンテナ体３２が選択した商品の試着機能を有する第２サービス提供部を構成する。
【００５６】
第１コンテナ体３１は、図示を省略するが、上述した第１コンテナ体３と同様に、側面部に透明若しくはスモークのガラスやプラスチック板をはめ込んだ窓が設けられ、また各側面部や天井部に適宜の色彩で塗装される。第１コンテナ体３１にも、天井部の内面に照明器具が設けられるとともに、必要に応じて側面に広告用薄型ディスプレーやスピーカが取り付けられ、また上面に電源ユニットや空調機が設置される。なお、第１コンテナ体３１にも、第２コンテナ体３２を第２コンテナ体収納空間部３３に対してスムーズに出し入れするために、適宜の走行ガイド構造を設けてもよい。
【００５７】
第１コンテナ体３１には、第１側面部を除く他の側面部の内壁に沿って、多段の商品陳列棚３５Ａ〜３５Ｃがコ字状に配列されて設置される。各商品陳列棚３５も、全て同幅の３００ｍｍとされ、立ったままの状態で顧客が手を伸ばしかつやや腰を曲げて陳列された商品を取ることが可能な高さ範囲を商品陳列スペースとし、上段部や下段部が例えばストックスペースとして利用される。第１コンテナ体３１も、上述したように側面部の内壁に沿ってそれぞれ商品陳列棚３５を設置することにより、閉店時には各商品陳列棚３５に囲まれた内部空間部を第２コンテナ体出し入れ開口部３４に連続する第２コンテナ体収納空間部３３として構成する。
【００５８】
第２コンテナ体３２も、少なくとも上述した第１コンテナ体３１の第２コンテナ体収納空間部３３に対して、第２コンテナ体出し入れ開口部３４を介して出し入れされる大きさ仕様を以って製造される。第２コンテナ体３２は、図７に示すように長さ方向の中央位置に隔壁３６を設けることにより、内部空間部３７を第１試着スペース３７Ａと第２試着スペース３７Ｂに区分する。第２コンテナ体３２は、同図に示すように第１試着スペース３７Ａと第２試着スペース３７Ｂに対応して幅方向の側面部にそれぞれドア或いはカーテン付きの出入り口３８Ａ、３８Ｂを設ける。第２コンテナ体３２は、第１試着スペース３７Ａと第２試着スペース３７Ｂの側面部にそれぞれ姿見３９Ａ、３９Ｂを設ける。
【００５９】
第２コンテナ体３２には、第１コンテナ体３１に収納した状態で第２コンテナ体出し入れ開口部３４を閉塞する側面部の外面に電源ユニットと空調機を収納した電気ユニットボックス４０を設置するとともに天井部の内面に照明器具が設けられる。第２コンテナ体３２には、必要に応じて広告用薄型ディスプレーやスピーカが取り付けられる。なお、第２コンテナ体３２は、電気ユニットボックス４０を例えば第１試着スペース３７Ａ或いは第２試着スペース３７Ｂのいずれか一方の内部に設置するようにしてもよい。また、第２コンテナ体３２は、第１試着スペース３７Ａ或いは第２試着スペース３７Ｂのいずれか一方をスタッフルームとして使用するようにしてもよく、さらに細かく区分するようにしてもよい。
【００６０】
第２コンテナ体３２には、底面部に第１コンテナ体３１に対して円滑に出し入れするとともに所定位置へと移動させるために走行手段が設けられている。走行手段は、詳細を省略するが底面部の下面の四隅近傍にそれぞれ設けられて第２コンテナ体３２をしっかりと保持するキャスタ４１Ａ〜４１Ｄにより構成する。キャスタ４１には、適宜のロック機構が設けられており、第２コンテナ体３２を第１コンテナ体３１内に収納したり所定位置へと移動させた状態で動かないようにロック操作が行われる。なお、第２コンテナ体３２には、例えば一方側のキャスタ４１Ａ、４１Ｂをタイロッド機構により連結して移動方向を変えられるようにしてもよい。第２コンテナ体３２は、例えばハンドリフタ等を用いて第１コンテナ体３１から出し入れするとともに所定位置まで移動するようにしてもよい。
【００６１】
以上のように構成された第１コンテナ体３１と第２コンテナ体３２は、例えば店内或いは屋外のイベントスペースに臨時的に設置され、特定ブランド商品を陳列するショップスペースと試着室スペースとを組み合わせた独自のコンテナショップ３０を構成する。コンテナショップ３０は、閉店時において第１コンテナ体３１に対して第２コンテナ体３２を図７（Ａ）に示すように第２コンテナ体出し入れ開口部３４から第２コンテナ体収納空間部３３内に収納することにより、第１コンテナ体３１の設置スペースと同等の省スペース化が図られるようにする。
【００６２】
コンテナショップ３０は、開店時に第１コンテナ体３１から第２コンテナ体３２を引き出して適宜の位置に設置することにより、商品を陳列スペースと試着室スペースとを独立に構成する。コンテナショップ３０においては、顧客が第１コンテナ体３１に対して第２コンテナ体出し入れ開口部３４を出入り口として第２コンテナ体収納空間部３３に出入りして商品陳列棚３５に陳列した商品の選択が行われるようにする。コンテナショップ３０においては、
コンテナショップ３０においては、商品を選択した顧客が第１コンテナ体３１から第２コンテナ体３２へと移動し、例えば空いている第１試着スペース３７Ａ内へと入り商品の試着が行われる。コンテナショップ３０においては、上述した仕様の第１コンテナ体３１内に多数個の商品陳列棚３５を設置することにより多種多様の品揃えを可能として商品陳列を行うとともに、その近傍に設置した第２コンテナ体３２により顧客が手軽に試着を行うことを可能とする。
【００６３】
なお、コンテナショップ３０においては、第２コンテナ体３２が隔壁３６によりその内部空間部３７を第１試着スペース３７Ａと第２試着スペース３７Ｂに区分するようにしたが、かかる構成に限定されるものでは無い。コンテナショップ３０においては、内部空間部３７のいずれか一方をサービスカウンタ部として店員が常駐して商品の対価支払いを受けたり商品アドバイスを行うようにしてもよい。
【００６４】
図８に第３の実施の形態として示したコンテナショップ５０は、上述した第１の実施の形態として示したコンテナショップ１と同様に中古コンテナ体にリフォーム加工を施した第１コンテナ体５１と、やや小ぶりな中古コンテナ体にリフォーム加工を施して第１コンテナ体５１に対してその内部に収納されるとともに組み合わせ状態を保持した位置まで引き出される第２コンテナ体５２とから構成される。コンテナショップ５０においては、第１コンテナ体５１と第２コンテナ体５２が、基本的な構成をコンテナショップ１の第１コンテナ体３と第２コンテナ体４とほぼ同等とされることから、相対する部位に同一符号を付すことにより説明を省略する。
【００６５】
コンテナショップ５０は、第１コンテナ体５１に対して第２コンテナ体５２を収納した状態でトレーラ５３に搭載され、屋外のイベント会場や許可された広場等へと自由に搬送されて移動型カフェ等を構成する。コンテナショップ５０は、第１コンテナ体５１に荷扱い用のブラケット材が設けられており、このブラケット材を利用してトレーラ５３の荷台に設置される。コンテナショップ５０は、第１コンテナ体５１が、長手方向の一方側の第１側面部３Ａに固定した波形鋼板を取り外してほぼ全面を開口することにより、第２コンテナ体５２を出し入れさせる第２コンテナ体出し入れ開口部５が形成される。なお、第１コンテナ体５１にも、幅方向の第３側面部３Ｃ、第４側面部３Ｄにそれぞれ複数の窓７が設けられる。
【００６６】
第１コンテナ体５１には、図示を省略するが第１側面部３Ａを除く他の側面部３Ｂ〜３Ｄの内壁に沿ってカウンターがコ字状に配列されて設置される。第１コンテナ体５１も、閉店時にはカウンターで囲まれた内部空間部を第２コンテナ体出し入れ開口部５に連続する第２コンテナ体収納空間部９として構成する。第１コンテナ体５１は、天井部３Ｅに照明器具１２を設けるとともに図示しない電源ユニット１０や空調機１１を搭載し、例えばトレーラ５３側から電源の供給を受けるようにする。第１コンテナ体５１は、電源ユニット１０から側面部に沿って底面部３Ｆの下面に導かれる配線ダクトが設けられ、この配線ダクトに挿通した電気配線により電源ユニット１０から各部への電源供給を行うとともに、第２コンテナ体５２に対して電源を供給する。第１コンテナ体５１も、適宜の位置に電源コードの巻き取り機能を有するコード巻き取り器を設け、このコード巻き取り器から引き出した電源コードにより第２コンテナ体５２との配線が行われるようにする。
【００６７】
第１コンテナ体５１にも、第２コンテナ体５２が第２コンテナ体出し入れ開口部５を介して第２コンテナ体収納空間部９に対してスムーズに出し入れするために、適宜の走行ガイド構造１３が設けられる。走行ガイド構造１３は、例えば天井部３Ｅと底面部３Ｆに相対して設けられ、第２コンテナ体５２が位置ズレを生じることなく出し入れ操作されるようにする。走行ガイド構造１３は、例えば底面部３Ｆに幅方向に離間して一端側を第２コンテナ体出し入れ開口部５に開放されたガイド溝を形成し、この第２コンテナ体４の底面部４Ｆに設けたガイドコロが転動するような構造であってもよい。なお、第１コンテナ体５１には、第２コンテナ体出し入れ開口部５の開口縁に沿って雨水等の浸入を防止する適宜のシールド構造が設けられる。
【００６８】
第２コンテナ体５２も、中古コンテナ体を用いて上述した第１コンテナ体５１の第２コンテナ体収納空間部９に対して、第２コンテナ体出し入れ開口部５を介して出し入れされる大きさ仕様を以ってリフォーム加工される。第２コンテナ体５２にも、第１コンテナ体５１の第１側面部３Ａと対向する長手方向の一方側の第１側面部４Ａに固定した波形鋼板を取り外してほぼ全面を開口することにより連絡開口部１４が設けられる。第２コンテナ体５２は、第１側面部４Ａ側から第１コンテナ体５１に組み合わされることにより、この連絡開口部１４を介して内部空間部１５が第２コンテナ体収納空間部９と連通する。
【００６９】
第２コンテナ体５２には、詳細を省略するが内部空間部１５にサービスカウンタ部や適宜の厨房機器が設置されるとともに、水槽や洗い場等の設備が設けられて第２ショップスペースを構成する。第２コンテナ体５２にも、第１側面部４Ａと相対する長手方向の第２側面部４Ｂの外側面にの広告用薄型ディスプレー１９や図示しないスピーカが取り付けられる。第２コンテナ体５２にも、幅方向の第３側面部４Ｃや第４側面部４Ｄにそれぞれ透明若しくはスモークのガラスやプラスチック板がはめ込まれて内部の様子を確認可能とする窓２０が設けられている。第２コンテナ体４には、第３側面部４Ｃに出入り口１６が設けられている。出入り口１６は、第３側面部４Ｃを構成する波形鋼板の一部を高さ方向の全域に亘って所定幅で切り取ることにより形成した開口部からなり、顧客等が内部空間部１５に出入りすることを可能とする。
【００７０】
第２コンテナ体５２には、各種厨房機器や天井部４Ｅに設けた照明器具２５或いは第２側面部４Ｂに設置したディスプレー１９やカウンター上に設置したレジスタ２２、天井部４Ｅの上面に設置した空調機等に対して、第１コンテナ体５１側の電源ユニット１０から電源が供給される。第２コンテナ体５２には、図示を省略するが底面部４Ｆの下面に配線ダクトが設けられ、この配線ダクト内に第１コンテナ体３側の上述したコード巻き取り器から引き出された電源コードを導通して電源供給が行われる。
【００７１】
第２コンテナ体５２には、底面部４Ｆに第１コンテナ体５１から円滑に出し入れするために走行・ガイド手段が設けられている。走行・ガイド手段は、詳細を省略するが底面部４Ｆの下面に設けられて第１コンテナ体５１側に設けた走行ガイド構造１３のガイド溝に係合してこのガイド溝内を転動する複数個のガイドコロ等により構成する。と、第２側面部４Ｂ側の中央部に位置して設けられたキャスタ２６等により構成する。
【００７２】
第２コンテナ体５２は、第１コンテナ体５１から引き出すことにより、図８に示すように第１側面部４Ａ側を第１コンテナ体５１の走行ガイド構造１３に支えられ第２側面部４Ｂ側が引き出し部位をトレーラ５３の荷台から飛び出た状態となる。第２コンテナ体５２は、第１コンテナ体５１から安定かつ容易に引き出し操作を行うことを可能とするとともに引き出し状態において第２側面部４Ｂ側が安定した状態に保持されるように可動型のキャスタ機構５４が設けられる。
【００７３】
キャスタ機構５４は、第２コンテナ体５２の底面部４Ｆに対して基端部を揺動自在に取り付けた支柱アーム材５４Ａと、この支柱アーム材５４Ａの先端部に設けたキャスタ５４Ｂとにより構成される。キャスタ機構５４は、支柱アーム材５４Ａが、トレーラ５３の荷台の高さとほぼ等しい長さを有し、第２コンテナ体５２を第１コンテナ体５１内に収納した状態では底面部４Ｆの下面に沿って折り畳まれた状態に保持される。キャスタ機構５４は、支柱アーム材５４Ａが、第１コンテナ体５１から第２コンテナ体５２を引き出し操作するにしたがって折り畳まれた状態から次第に垂直な状態へと展開する。キャスタ機構５４は、第１コンテナ体５１から第２コンテナ体５２が所定位置まで引き出された状態で、キャスタ５６が設置するとともに支柱アーム材５４Ａが図示しないロック機構により垂直状態にロックされる。
【００７４】
コンテナショップ５０においては、第１コンテナ体５１内に第２コンテナ体５２が収納されるとともに、適宜のロック機構により収納状態がしっかりと保持される。コンテナショップ５０においては、トレーラ５３によりイベント会場等に搬送され、トレーラ５３のタイヤをロックした状態で第１コンテナ体５１から第２コンテナ体５２が引き出されて開店準備が行われる。コンテナショップ５０においては、所定位置まで引き出された第２コンテナ体５２が、トレーラ５３の荷台から突出した部位をキャスタ機構５４により支持される。
【００７５】
コンテナショップ５０においては、連絡開口部１４を介して第１コンテナ体５１のカウンタースペースと第２コンテナ体５２のサービス提供スペースとが連通されて拡張されたカフェ形態を構成する。コンテナショップ５０においては、第１コンテナ体５１の第２コンテナ体出し入れ開口部５から第２コンテナ体５２に設けた出入り口１６が外側に臨ませられ、この出入り口１６にトレーラ５３の荷台高さに合わせて階段５７が設置される。コンテナショップ５０においては、第１コンテナ体５１側から第２コンテナ体５２に電源供給が行われ、この第２コンテナ体５２内に設置した厨房機器を用いて仕込みが行われる。
【００７６】
コンテナショップ５０においては、開店に伴って顧客が階段５７を上って出入り口１６から内部空間部１５内に入り、サービスカウンタ部で店員に対して商品の注文を行う。コンテナショップ５０においては、料金の支払いを行って店員から商品を受け取った顧客が連絡開口部１４を介して第２コンテナ体５２内から第１コンテナ体５１側へと移動し、カウンターで商品の飲食を行う。コンテナショップ５０においては、飲食を終えた顧客が第１コンテナ体５１内から第２コンテナ体５２側へと移動して容器等をサービスカウンタ部の店員に返却し、出入り口１６から外へと出る。
【００７７】
コンテナショップ５０においては、上述したように顧客の飲食スペースを構成する第１コンテナ体５１がトレーラ５３の荷台に搭載されることにより、イベント会場等の様子をやや高い視線で見ながら飲食が行われるようにする。コンテナショップ５０においては、第１コンテナ体５１と第２コンテナ体５２により拡張されたカフェ形態を構成することにより、第２コンテナ体５２側に充分な広さを有して充実した厨房機器等を設置したサービスカウンタ部を構成することが可能となる。したがって、コンテナショップ５０においては、顧客に対して多種類の商品を迅速に提供することを可能とするとともに、顧客がゆったりと飲食する充分なスペースも確保することが可能である。なお、コンテナショップ５０においては、周辺にテーブルや椅子或いはパラソル等を設置してカフェテラス態様を構成するようにしてもよく、これらテーブル等を閉店時には第１コンテナ体５１や第２コンテナ体５２内に収納することにより保管等の対応も不要となる。
【図面の簡単な説明】
【００７８】
【図１】第１の実施の形態として示すコンテナショップの開店状態の斜視図である。
【図２】同コンテナショップをホームに設置した開店状態の斜視図である。
【図３】同コンテナショップにおいて第１コンテナ体に第２コンテナ体を収納した閉店状態の断面図である。
【図４】第２コンテナ体出し入れ開口部を設けた第２側面部を示す第１コンテナ体の側面図である。
【図５】同コンテナショップにおいて第１コンテナ体から第２コンテナ体を引き出した開店状態の一部切り欠き側面図である。
【図６】同一部切り欠き平面図である。
【図７】第２の実施の形態として示すコンテナショップの説明図であり、同図（Ａ）は第１コンテナ体に第２コンテナ体を収納した閉店状態、同図（Ｂ）は第１コンテナ体から第２コンテナ体を引き出した開店状態を示す。
【図８】第３の実施の形態として示すコンテナショップの開店状態の説明図である。
【符号の説明】
【００７９】
１  コンテナショップ、２  ホーム、３  第１コンテナ体、４  第２コンテナ体、５  第２コンテナ体出し入れ開口部、６  ディスプレー、７  窓、８  商品陳列棚、９  第２コンテナ体収納空間部、１０  電源ユニット、１１  空調機、１２  照明器具、１３  走行ガイド構造、１４  連絡開口部、１５  内部空間部、１６  出入り口、１７  サービスカウンタ部、１８  商品棚、１９  ディスプレー、２０  窓、２１  カウンター、２６  キャスタ、３０  コンテナショップ、３１  第１コンテナ体、３２  第２コンテナ体、３３  第２コンテナ体収納空間部、３４  第２コンテナ体出し入れ開口部、３５  商品陳列棚、３６  隔壁、３８  出入り口、３９  姿見、４１  キャスタ、５０  コンテナショップ、５１  第１コンテナ体、５２  第２コンテナ体、５３  トレーラ、５４  キャスタ機構  ５５  支柱アーム材、５６  キャスタ、５７  階段
【図１】
2009024343.tif 000003
【図２】
2009024343.tif 000004
【図３】
2009024343.tif 000005
【図４】
2009024343.tif 000006
【図５】
2009024343.tif 000007
【図６】
2009024343.tif 000008
【図７】
2009024343.tif 000009
【図８】
2009024343.tif 000010